(57)【特許請求の範囲】
【請求項１】
中綴製本機のギャザリングチェーン上に配設された複数のボックスのうちの偏平状物品を貼り込まれる折丁のフィーダーをセットした次のボックスにセットして使用する貼込装置であって、ギャザリングチェーンの側方に隣接して配置され、ギャザリングチェーンと同速度で回転する圧着ドラムと、積み重ね状態でセットされた偏平状物品を下方の搬出ベルトにより１枚ずつ送り出すフィーダー部と、当該フィーダー部からの偏平状物品を前記ギャザリングチェーン上の折丁と前記圧着ドラムとの間に送り込む一対の搬送コンベアと、前記ギャザリングチェーン上の折丁が前記圧着ドラムに至る前に当該折丁の所定位置に糊を塗布する糊付部とを備え、前記フィーダー部の搬出ベルトの上面と前記搬送コンベアの搬送経路が前記ギャザリングチェーン上の折丁と前記圧着ドラムとの間に向かう略同一面上にあるように配置されていることを特徴とする貼込装置。
【発明の詳細な説明】
【０００１】
【産業上の利用分野】
本発明は、コンパクトディスク（ＣＤ）やフロッピーディスク（ＦＤ）を始めとする平らな形状をした偏平状物品を中綴本の所定頁にその製本工程にて貼り込むために使用する貼込装置に関するものである。
【０００２】
【従来の技術】
雑誌等の中綴本はいわゆる中綴製本機で製本される。すなわち、ギャザリングチェーン上にある複数のボックスにそれぞれ折丁のフィーダーをセットしておき、走行するギャザリングチェーンに取り付けられたトランスポーター（通称：赤ラグ）の手前に各フィーダーから折丁をサドル掛け状に順次落下させて丁合しながら搬送し、続くステッチャーで背の部分を綴じてから三方断裁機で化粧断ちすることで製本されている。そして、ハガキ、小冊子等の印刷物を中綴製本工程にて雑誌等の中綴本の本文中に貼り込む場合には、図１に示すような貼込装置が使用されている。
【０００３】
この貼込装置は、印刷物Ｐを貼り込む折丁のフィーダーをセットした次のボックスにセットされるもので、図示はしないが当該ボックスにおけるベース内の主駆動部によりチェーン、スプロケット等を介して駆動される。そして、図１に示すようにギャザリングチェーン１に取り付けられた各トランスポーター２の手前に複数の折丁Ｓが丁合され、印刷物Ｐを貼り込むべき折丁Ｓが一番上に載った状態でギャザリングチェーン１が矢印方向（左から右）に移動するが、この移動する際に貼込装置により図１の（ａ）〜（ｃ）に示す動作で印刷物Ｐの貼込が行われるようになっている。
【０００４】
図１において３はギャザリングチェーン１の側方に隣接して配置され、ギャザリングチェーン１と同速度で回転する搬送兼圧着ドラム、４は印刷物Ｐをセットするストック部、５は積み重ね状態でセットされた印刷物Ｐを下方から１枚ずつめくり出すバキュームサッカーである。６は印刷物Ｐの端部を支えるストッパーであって、印刷物Ｐをサッカー５で吸着する時に回避動作（反時計方向に回転して印刷物Ｐの端部を解放する）を行う。７はドラム３に組み込まれたグリッパーであり、サッカー５によってめくられた印刷物Ｐの端部を掴み、ドラム３の回転に伴って印刷物Ｐをストック部４から引き抜いてギャザリングチェーン１上の折丁Ｓとドラム３との間に送り込む。また８は糊付部であり、ドラム３上の印刷物Ｐがギャザリングチェーン１上の折丁Ｓとの間でニップされる前に当該印刷物Ｐの裏面所定位置に糊Ｇを塗布する。そして、この糊付けされた印刷物Ｐがギャザリングチェーン１上の折丁Ｓと接触すると、時間を置かずにグリッパー７が開いて印刷物Ｐと縁切りし、次いでドラム３の周面で印刷物Ｐを折丁Ｓに押し付けることで貼り合わせが行われる。
【０００５】
【発明が解決しようとする課題】
従来の技術で述べた貼込装置は、その機構からしてハガキ、小冊子等の曲げの可能な印刷物を中綴製本工程にて貼り込む装置であり、曲げられない偏平状物品は貼り込むことができないものである。したがって、ＣＤやＦＤを始め、ハードパッケージの試供品サンプル等を中綴本の本文中に貼り込もうとした場合、この貼込装置を利用することができず、またこれ以外に適切な貼込装置も存在しないことから、後工程で手作業により出来本の所定頁に貼り付けるしか方法がないのが現状である。
【０００６】
本発明は、上記のような事情に鑑みてなされたものであり、その目的とするところは、曲げることのできない偏平状物品でも中綴製本工程にて中綴本の所定頁に自動的に貼り込むことのできる貼込装置を提供することを目的としている。
【０００７】
【課題を解決するための手段】
上記目的を達成するために、本発明に係る貼込装置は、中綴製本機のギャザリングチェーン上に配設された複数のボックスのうちの偏平状物品を貼り込まれる折丁のフィーダーをセットした次のボックスにセットして使用する貼込装置であって、ギャザリングチェーンの側方に隣接して配置され、ギャザリングチェーンと同速度で回転する圧着ドラムと、積み重ね状態でセットされた偏平状物品を下方の搬出ベルトにより１枚ずつ送り出すフィーダー部と、当該フィーダー部からの偏平状物品を前記ギャザリングチェーン上の折丁と前記圧着ドラムとの間に送り込む一対の搬送コンベアと、前記ギャザリングチェーン上の折丁が前記圧着ドラムに至る前に当該折丁の所定位置に糊を塗布する糊付部とを備え、前記フィーダー部の搬出ベルトの上面と前記搬送コンベアの搬送経路が前記ギャザリングチェーン上の折丁と前記圧着ドラムとの間に向かう略同一面上にあるように配置されていることを特徴としている。
【０００８】
【作用】
上述の構成からなる本発明の貼込装置では、フィーダー部の偏平状物品が搬出ベルトにより曲がることなく送り出され、そのまま真っ直ぐに搬送コンベアにより搬送されてギャザリングチェーン上の折丁と圧着ドラムとの間に供給され、このように曲がることなく供給された偏平状物品は糊が塗布された折丁に対して圧着ドラムにより押し付けられて貼付される。
【０００９】
【実施例】
以下、図面を参照して本発明の実施例について説明する。
【００１０】
図２は本発明に係る貼込装置の一実施例をその貼込動作とともに示す説明図である。
【００１１】
この貼込装置は、中綴製本機のギャザリングチェーン上に配設された複数のボックスのうちの所定のボックス、すなわち貼り込まれる折丁のフィーダーをセットした次のボックスにセットされる。そして、図２に示すようにギャザリングチェーン１１に取り付けられたトランスポーター１２の手前に複数の折丁Ｓが丁合され、偏平状物品Ｈを貼り込むべき折丁Ｓが一番上に載った状態でギャザリングチェーン１１が矢印方向（左から右）に移動するが、この移動する際に貼込装置により図２の（ａ）〜（ｃ）に示す動作で偏平状物品Ｈの貼込が行われる。
【００１２】
図中１３はギャザリングチェーン１１の側方に隣接して配置され、ギャザリングチェーン１１と同速度で回転する圧着ドラム、１４は積み重ね状態でセットされた偏平状物品Ｈを下方の搬出ベルト１５により１枚ずつ送り出すフィーダー部、１６はフィーダー部１４からの偏平状物品Ｈをギャザリングチェーン１１上の折丁Ｓと圧着ドラム１３との間に送り込む一対の搬送コンベア、１７はギャザリングチェーン１１上の折丁Ｓが圧着ドラム１３に至る前に当該折丁Ｓの所定位置に糊Ｇを塗布する糊付部である。そして、フィーダー部１４の搬出ベルト１５の上面と搬送コンベア１６の搬送経路がギャザリングチェーン１１上の折丁Ｓと圧着ドラム１３との間に向かう略同一面上にあるように配置されている。
【００１３】
本実施例では偏平状物品Ｈとして袋入りのＣＤがフィーダー部１４に積み重ね状態でセットされており、所定のタイミングで搬出ベルト１５を駆動して一番下のＣＤを真っ直ぐに搬送コンベア１６に供給する。一方、一番上の折丁Ｓはギャザリングチェーン１１上にて糊付部１７により所定位置に糊が塗布される。袋入りのＣＤと折丁Ｓとの位置合わせは、ギャザリングチェーン１１上の折丁Ｓの位置をセンサー（図示せず）で検出し、その信号をもとに搬出ベルト１５及び搬送コンベア１６を起動させ、折丁ＳのＣＤが貼り込まれる位置に袋入りのＣＤを供給することで行われる。このように折丁Ｓの所定位置に袋入りのＣＤが供給されると、圧着ドラム１３にて折丁Ｓに袋入りのＣＤが貼り込まれる。
【００１４】
なお、偏平状物品としては、袋入りや薄いパッケージ入りのＣＤの他、同様な包装形態のＦＤでもよい。また、偏平な形状をした試供品、例えば厚紙に形成した凹部に口紅等の化粧品を充填してフィルムで蓋をしたような試供品を広告頁に貼り込むような場合にも適用できる。また、偏平状をした各種のサンプル、厚手のカード類等の貼込にも適用できる。
【００１５】
【発明の効果】
以上説明したように、本発明の貼込装置によれば、フィーダー部にセットした偏平状物品が搬出ベルトで曲がることなく取り出され、そのまま真っ直ぐに搬送コンベアで貼込位置まで搬送されて折丁に貼り込まれるので、曲げることのできない偏平状物品を中綴本の所定頁に自動的に貼り込むことができる。
【図面の簡単な説明】
【図１】従来の貼込装置の説明図である。
【図２】本発明に係る貼込装置の説明図である。
【符号の説明】
１１  ギャザリングチェーン
１２  トランスポーター
１３  圧着ドラム
１４  フィーダー部
１５  搬出ベルト
１６  搬送コンベア
１７  糊付け部
Ｓ  折丁
Ｈ  偏平状物品
Ｇ  糊
【図１】
0003685519.tif 000002
【図２】
0003685519.tif 000003